(57)【特許請求の範囲】
【請求項１】
屋根において野地板に、棟に沿って長く平行な換気孔が形成され、これに用いる換気瓦桟は、横長瓦桟の上半部において横長手に沿って前後面に複数の通気孔が間歇的に形成され、横長瓦桟の下半部において、下面前後中間部に横長手に沿って通気間隙が前記通気孔と連通状に形成され、該換気瓦桟の通気間隙と野地板の換気孔を連通状にして、換気瓦桟が野地板上に固定され、小屋裏の熱気が換気孔、通気間隙を経て外部へ排出されるよう構成されたことを特徴とする換気屋根構造。
【請求項２】
屋根において野地板に、棟に沿って長く平行な換気孔が形成され、これに用いる換気瓦桟は、通気コアと固定部と上板とで横長に一体に形成され、該通気コアは横長の上下板間に、複数の区画壁が長手方向に所定間隔おきに設定されて、各区画壁間にそれぞれ通気孔が前後方向を向いて貫通形成され、前記固定部は棒杆状からなり、上板の下面において、固定部を前に、通気コアを後部に並列させ、中間に通気間隙を横長に開けて配設され、屋根の野地板に形成される換気孔に、換気瓦桟の通気間隙を連通状にして、換気瓦桟が野地板上に固定され、小屋裏の熱気が換気孔、通気間隙を経て外部へ排出されるように構成されたことを特徴とする換気屋根構造。
【請求項３】
通気コアと固定部とで横長に一体に形成され、該通気コアは横長の上下板間に複数の区画壁が長手方向に所定間隔おきに設定されて、各区画壁間にそれぞれ通気孔が前後方向を向いて貫通形成され、前記固定部は前後一対の棒杆状からなり、通気コアの下面前後において、一対の固定部が中間に通気間隙を横長に開けて配設され、該通気間隙における通気コアの下板には、上方の通気孔と下方の通気間隙とを連通させる開口が形成されていること、を特徴とする換気瓦桟。
【請求項４】
通気コアと固定部と上板とで横長に一体に形成され、該通気コアは横長の上下板間に、複数の区画壁が長手方向に所定間隔おきに設定されて、各区画壁間にそれぞれ通気孔が前後方向を向いて貫通形成され、前記固定部は棒杆状からなり、上板の下面において、固定部を前に、通気コアを後部に並列させ、中間に通気間隙を横長に開けて配設され、屋根の野地板に形成される換気孔に、前記通気間隙を連通させて配設するように構成されたこと、を特徴とする換気瓦桟。
【請求項５】
上板と一対の通気コアとで横長に一体に形成され、該通気コアは横長の上下板間に、複数の区画壁が長手方向に所定間隔おきに設定され、各区画壁間にそれぞれ通気孔が前後方向を向いて貫通形成され、前記上板の下面前後において、前後一対の通気コアが中間に通気間隙を横長に開けて配設され、屋根の野地板に形成される換気孔に、前記通気間隙を連通させて配設するように構成されたこと、を特徴とする換気瓦桟。
【発明の詳細な説明】
【０００１】
【発明の属する技術分野】
この発明は換気屋根構造並びに換気瓦桟に係り、特に換気性と施工性に優れ安価に供給することのできる換気屋根構造と換気瓦桟に関する。
【０００２】
【従来の技術】
従来、住宅用建物の小屋裏（垂木の下部で天井の上部域）の換気は軒裏あるいは小屋裏の壁に形成した換気孔等からおこなっているが、熱気や湿気が棟頂部に停滞して、耐久性を弱める難点がある。
【０００３】
【発明が解決しようとする課題】
屋根構造が寄棟の場合は小屋裏の壁面に換気孔を形成することができず、軒裏の換気孔だけでは頂部の換気に難点がある。ところが平成１０年１０月１日から公庫融資制度の適用住宅の技術基準が改正されて、建物の耐久性を向上させるために、軒裏に吸気孔を設け、かつ排気筒その他の器具を用いた排気孔を設ける場合は、吸気孔の有効面積の天井の面積に対する割合は、９００分の１以上とし、排気孔はできるだけ小屋の頂部に設け、排気孔の有効面積の天井の面積に対する割合は、１，６００分の１以上とすること、という規定が制定され、かつ、建築費を押さえるために寄棟が増加している。
【０００４】
従って、これら法規制並びに時代の趨勢に対処して安価で施工性に優れ、前記技術基準に適合する換気屋根構造が求められている。この発明はそれらの実情に鑑みて、換気性と施工性に優れ、かつ安価な換気屋根構造と換気瓦桟を提供すること、を目的として開発されたものである。
【０００５】
【課題を解決するための手段】
この発明は、前記課題を解決し、目的を達成するために次のような技術的な手段を講じた。発明の具体的な内容は次の通りである。
【０００６】
(1)  屋根において野地板に、棟に沿って長く平行な換気孔が形成され、これに用いる換気瓦桟は、横長瓦桟の上半部において横長手に沿って前後面に複数の通気孔が間歇的に形成され、横長瓦桟の下半部において、下面前後中間部に横長手に沿って通気間隙が前記通気孔と連通状に形成され、該換気瓦桟の通気間隙と野地板の換気孔を連通状にして、換気瓦桟が野地板上に固定され、小屋裏の熱気が換気孔、通気間隙を経て外部へ排出されるよう構成された換気屋根構造。
【０００７】
(2)  屋根において野地板に、棟に沿って長く平行な換気孔が形成され、これに用いる換気瓦桟は、通気コアと固定部と上板とで横長に一体に形成され、該通気コアは横長の上下板間に、複数の区画壁が長手方向に所定間隔おきに設定されて、各区画壁間にそれぞれ通気孔が前後方向を向いて貫通形成され、前記固定部は棒杆状からなり、上板の下面において、固定部を前に、通気コアを後部に並列させ、中間に通気間隙を横長に開けて配設され、屋根の野地板に形成される換気孔に、換気瓦桟の通気間隙を連通状にして、換気瓦桟が野地板上に固定され、小屋裏の熱気が換気孔、通気間隙を経て外部へ排出されるように構成された換気屋根構造。
【０００８】
(3)  通気コアと固定部とで横長に一体に形成され、該通気コアは横長の上下板間に複数の区画壁が長手方向に所定間隔おきに設定されて、各区画壁間にそれぞれ通気孔が前後方向を向いて貫通形成され、前記固定部は前後一対の棒杆状からなり、通気コアの下面前後において、一対の固定部が中間に通気間隙を横長に開けて配設され、該通気間隙における通気コアの下板には、上方の通気孔と下方の通気間隙とを連通させる開口が形成されている、換気瓦桟。
【０００９】
(4)  通気コアと固定部と上板とで横長に一体に形成され、該通気コアは横長の上下板間に、複数の区画壁が長手方向に所定間隔おきに設定されて、各区画壁間にそれぞれ通気孔が前後方向を向いて貫通形成され、前記固定部は棒杆状からなり、上板の下面において、固定部を前に、通気コアを後部に並列させ、中間に通気間隙を横長に開けて配設され、屋根の野地板に形成される換気孔に、前記通気間隙を連通させて配設するように構成された、換気瓦桟。
【００１０】
(5)  上板と一対の通気コアとで横長に一体に形成され、該通気コアは横長の上下板間に、複数の区画壁が長手方向に所定間隔おきに設定され、各区画壁間にそれぞれ通気孔が前後方向を向いて貫通形成され、前記上板の下面前後において、前後一対の通気コアが中間に通気間隙を横長に開けて配設され、屋根の野地板に形成される換気孔に、前記通気間隙を連通させて配設するように構成された、換気瓦桟。
【００１１】
【作用】
上記のように構成されたこの発明は、次のような作用を有している。
【００１２】
小屋裏の換気は棟頂部に排気口を開口することで目的を達成しようとしているのが一般であるが、屋根構造、屋根材などの制約によっては、棟頂部での開口面積に制約を受けて、規定されている換気をすることができない場合がある。従って、棟頂部に近い位置での野地板に換気孔を形成することによって、補助的に換気をしようとするのが本発明のねらいである。
【００１３】
野地板に換気孔を開口するだけでも換気はできるが、台風時などにおいて瓦隙間からの漏水が換気孔から小屋裏へ浸入する虞れがある。その点で本発明においての換気瓦桟は、野地板の換気孔を上流側から被覆するので、漏水に対して防水効果を持ち、また瓦桟配置位置に設定することによって、換気瓦桟を普通の瓦桟として兼用させることができる。
【００１４】
【発明の実施の形態】
この発明の実施の形態例を図面を参照して説明する。図１は換気瓦桟の斜視図、図２は換気瓦桟の裏面斜視図、図３は換気屋根構造の斜視図である。
【００１５】
図１において換気瓦桟１は、通気コア２と固定部７とから形成されている。通気コア２は、幅およそ７センチ程度、長さ１メートル程度の上下板３，４の間に高さ１５ミリ前後の区画壁５が複数、長手方向に所定間隔おきに配設されて各区画壁５，５の間に通気孔６…が形成されている。該通気コア２は押出成形によって通気孔６…の貫通方向に押出成形されるもので、成形後に所定の幅に切断される。
【００１６】
前記通気コア２における通気孔６…の配列ピッチは、例えば８ミリないし２０ミリ前後で設定される。通気孔６…は単列ハニーコム式に横一列に複数形成され、図では通気効率の良い四角形であるが、三角形でも良い。また、上下に複数の並列でも良い。製造時には通気孔６…の貫通する方向が前後方向として押出成形機で平板状の長い物として成形される。
【００１７】
通気コア２の下部には、図示するように、通気コア２の狭幅方向の両端部に一対の平行な固定部７，７が一体に接着固定されて前後固定部７，７間に通気間隙８が形成されている。該固定部７，７は例えば木材、あるいは合成樹脂材から成形されており、接着剤を介して接着される。しかして、通気間隙８における下板４は削除されて開口部４Ａが形成される。
【００１８】
前記固定部７，７は単純に平行なものでもよいが、図２に示すように、換気瓦桟１の長手両端部において、両固定部７，７の間を閉塞材９，９で閉塞させることができる。これによって通気間隙８は固定部７，７と閉塞材９，９とで囲まれることになる。
【００１９】
以上の構成において、換気屋根構造について図３並びに図４に基づいて説明する。図３は屋根の棟頂部分平面図である。棟頂１０に近接した部分に棟瓦桟が配設される。この位置に図示するように、野地板１１に、幅１０ミリ前後、長さ９０センチ前後の換気孔１２が棟と平行に沿って直列状に定間隔（換気瓦桟１の長さが１メートルのときは１メートルごと）に形成される。
【００２０】
次に、図３において、換気瓦桟１の長手を換気孔１２の長手に沿わせ、かつ通気間隙８を換気孔１２に適合させて被覆するように配設する。この場合、固定部７，７の下面にあらかじめ接着剤を塗布して離形紙を貼着しておいて、離形紙を剥離して野地板１１（その上のルーフィングシート）に接着させ、通気コア２の上から野地板１１に向って釘打ちをする。
【００２１】
この場合、屋根傾斜上流側の固定部７と屋根材１１間にシリコーンシーラント１３を施すことによって、上方からの水滴が野地板１１の換気孔１２に浸入することはない。また図２に示したように、換気瓦桟１の裏面において、両固定部７，７間において閉塞材９，９が配設されていて通気間隙８が囲まれている時は、図３に示すように、換気孔１２を固定部７，７と閉塞材９，９とで囲うことになり、その周囲にシリコンシーラントを詰装することによって、換気孔１２は完全にシールされることになる。
【００２２】
しかして、図４に示すように、野地板１１の下の小屋裏の空気は、換気孔１２を通り、通気コア２の通気孔６…から瓦１４下の空間へと排出され外部に放出されて常時換気される。
【００２３】
前記通気コア２の通気孔６…は通気コア２…の長さ１メートルにつき、およそ１８０平方センチ前後以上を確保することができる。このことは、少なくとも長さ１メートルの１本の通気コア２によって、天井面積１６，２平方メートル以上に対応させることができるので、小屋裏換気に関する前記技術基準を十分に充足させることができる。
【００２４】
図５は第二形態例の換気瓦桟を示す側面図である。この形態例は通気コア２を下側に配したものである。すなわち、通気コア２に上に上板１５を固定し、通気孔６の貫通方向の前方に通気間隙８をあけて固定部７を上板１５の前下部に固定したものである。前記上板１５と固定部７とは一体物でも良いし、また別体のものを接着してもよい。
【００２５】
この形態例の構造によれば、野地板１１下の小屋裏の空気（熱気）は野地板１１の換気孔１２から通気間隙８を経て直接通気コア２の通気孔６…に入って外部に排出される。すなわち、図４に示めす通気コア２の下板４に開口部４Ａを開口する必要がなくなる。
【００２６】
図６は第三形態例の換気瓦桟の斜視図である。この形態例は、上板１５の下に通気間隙８をあけて前後一体の通気コア２，２が配設されたものである。この形態例によれば、小屋裏の空気（熱気）は通気間隙８から上下の通気コア２，２の通気孔６，６のいずれからも排出される。
【００２７】
なおこの発明は、前記形態例に限定されるものではなく、目的に合わせて適宜設計変更をすることができる。例えば図７，８は前記上板を合成樹脂材で形成する場合、材料を軽減させる手法を示すものである。また前記通気コア２は釘を打つべき位置の通気孔に充填材（木、発泡樹脂コアその他）を詰装することができる。また使用の状況に応じて上板または下板を省略することができる。
【００２８】
【発明の効果】
以上のように構成されたこの発明は、次のように優れた効果を有している。
【００２９】
通気コア、固定部、上板も押出成形で大量生産する事ができるので、コストを著しく安価にすることができる効果がある。
【００３０】
通気コアは押出成形で形成するので、強度を保持しながら通気孔の面積を最大限に設定することができる効果がある。
【００３１】
換気瓦桟は通気コアの通気孔を野地板の換気孔に近接させて瓦桟の配置位置に配設することができるので、瓦桟として使用しながら、補助的に小屋の換気をすることができる効果がある。
【００３２】
換気瓦桟は、野地板の換気孔の屋根傾斜上流側を被覆するように配設できるので、漏水が換気孔に浸入することを未然に防止できる効果がある。
【００３３】
換気瓦桟の下面に粘着剤層を形成するときは、屋根の上で位置決めして容易に固定することができる効果がある。
【００３４】
換気瓦桟は構造が簡単なので施工性に優れ、熟練を要さずに容易に短時間で施工し、確実な換気作用を得ることができる効果がある。
【００３５】
換気瓦桟は軽量なので、搬送負担が小さく、屋根上での取扱いが容易で、また屋根に対する重量負担が軽いという効果がある。
【００３６】
換気屋根構造は、簡単な構造で、十分な換気をさせることができる効果がある。
【００３７】
【図面の簡単な説明】
【図１】  換気瓦桟の斜視図である。
【図２】  換気瓦桟の裏面斜視図である。
【図３】  換気屋根構造の要部平面図である。
【図４】  換気屋根構造の側面図である。
【図５】  第二形態例を示す換気瓦桟と換気屋根構造の側面図である。
【図６】  第三形態を示す換気瓦桟の斜視図である。
【図７】  第二形態例を示す上板の斜視図である。
【図８】  第三形態例を示す上板の斜視図である。
【符号の説明】
１    換気瓦桟
２    通気コア
３    上板
４    下板
５    区画壁
６    通気孔
７    固定部
８    通気間隙
９    閉塞材
１０    棟頂
１１    野地板
１２    換気孔
１３    シリコンシーラント
１４    瓦
１５    上板
【図１】
0004040774.tif 000002
【図２】
0004040774.tif 000003
【図３】
0004040774.tif 000004
【図４】
0004040774.tif 000005
【図５】
0004040774.tif 000006
【図６】
0004040774.tif 000007
【図７】
0004040774.tif 000008
【図８】
0004040774.tif 000009